(57)【特許請求の範囲】
【請求項１】
回転軸を中心に回転すると共に、クリック係合部を形成した回転体と、
前記回転体と一体に回転することで出力信号を変化させる検出手段と、
前記回転体のクリック係合部に前記回転軸方向に向けて弾接することで回転体の回転の際にクリック感触を生じるクリック弾接部を形成したクリック弾接体と、
前記クリック係合部と前記クリック弾接体の間に設置され、前記回転軸を中心に回動可能であって、回動位置に応じて前記クリック弾接部の回転軸方向の高さを変更させるクリック有無切替体と、を具備し、
前記クリック弾接体には、上方向に向かって突出する前記クリック弾接部の他に、上方向に向かって突出する上下動補助部を前記クリック弾接部と同一の円周上に設け、
一方、前記クリック有無切替体には、前記クリック弾接体のクリック弾接部を挿入する弾接部挿通部の他に、前記上下動補助部を挿入する補助部挿通部を設け、
前記クリック有無切替体を回動することで、当該クリック有無切替体の弾接部挿通部内に、前記クリック弾接部が収納されて当該クリック弾接部が前記回転軸方向に沿って上昇しているときは、前記クリック係合部と前記クリック弾接部間が接触し、
前記クリック有無切替体を回動することで、当該クリック有無切替体の下面に上下動補助部が弾接して前記クリック弾接部が前記回転軸方向に沿って下降しているときは、前記クリック係合部と前記クリック弾接部間を乖離させることを特徴とするクリック機構付き回転式電子部品。
【請求項２】
請求項１に記載のクリック機構付き回転式電子部品であって、
前記クリック弾接部と前記クリック係合部は、互いに前記回転軸に交差する平面で弾接することを特徴とするクリック機構付き回転式電子部品。
【請求項３】
請求項１又は２に記載のクリック機構付き回転式電子部品であって、
前記クリック弾接部は、前記クリック係合部に弾接する弾接部と、前記弾接部に接続して弾接部から離れるに従ってその高さを低くする傾斜部とを有し、
前記クリック有無切替体を回動した際に、前記弾接部挿通部に前記傾斜部を接触してクリック弾接部を上下動させて前記クリック弾接部と前記クリック係合部との接触・乖離を行うことを特徴とするクリック機構付き回転式電子部品。
【請求項４】
請求項３に記載のクリック機構付き回転式電子部品であって、
前記クリック有無切替体の弾接部挿通部は、前記クリック弾接部の弾接部と傾斜部を挿通する開口部によって構成され、
前記クリック弾接部と前記クリック係合部との接触・乖離は、前記クリック有無切替体を回転させ、このクリック有無切替体の開口部の外周辺部分が前記クリック弾接部の傾斜部に接触してクリック弾接部を上下動させることによって行うことを特徴とするクリック機構付き回転式電子部品。
【発明の詳細な説明】
【技術分野】
【０００１】
本発明は、クリック感触の有無を選択することができるクリック機構付き回転式電子部品に関するものである。
【背景技術】
【０００２】
従来、携帯機器（例えばデジタルカメラ）等に使用する回転式電子部品において、回転つまみを回転操作する際の操作感触として、いわゆるクリック感触を生じさせる構造のものがあった（例えば特許文献１）。
【０００３】
一方従来、上記回転式電子部品の回転操作において、操作感触の違いを出すために、クリック感触のある回転式電子部品と、クリック感触の無い回転式電子部品が両方求められる場合があった。
【先行技術文献】
【特許文献】
【０００４】
【特許文献１】特開２０１０−１４０６９２号公報
【発明の概要】
【発明が解決しようとする課題】
【０００５】
しかし、クリック感触のあるものと無いものの両者が求められた場合、従来は２種類の回転式電子部品を用意しなければならず、コストが増大し、またこれら回転式電子部品を装着する機器が大型化してしまうという問題があった。
【０００６】
本発明は上述の点に鑑みてなされたものでありその目的は、簡単な操作によって、回転体回転時のクリック感触の有無を変更することができるクリック機構付き回転式電子部品を提供することにある。
【課題を解決するための手段】
【０００７】
本発明は、回転軸を中心に回転すると共に、クリック係合部を形成した回転体と、前記回転体と一体に回転することで出力信号を変化させる検出手段と、前記回転体のクリック係合部に前記回転軸方向に向けて弾接することで回転体の回転の際にクリック感触を生じるクリック弾接部を形成したクリック弾接体と、前記クリック係合部と前記クリック弾接体の間に設置され、前記回転軸を中心に回動可能であって、回動位置に応じて前記クリック弾接部の回転軸方向の高さを変更させるクリック有無切替体と、を具備し、前記クリック弾接体には、上方向に向かって突出する前記クリック弾接部の他に、上方向に向かって突出する上下動補助部を前記クリック弾接部と同一の円周上に設け、一方、前記クリック有無切替体には、前記クリック弾接体のクリック弾接部を挿入する弾接部挿通部の他に、前記上下動補助部を挿入する補助部挿通部を設け、前記クリック有無切替体を回動することで、当該クリック有無切替体の弾接部挿通部内に、前記クリック弾接部が収納されて当該クリック弾接部が前記回転軸方向に沿って上昇しているときは、前記クリック係合部と前記クリック弾接部間が接触し、前記クリック有無切替体を回動することで、当該クリック有無切替体の下面に上下動補助部が弾接して前記クリック弾接部が前記回転軸方向に沿って下降しているときは、前記クリック係合部と前記クリック弾接部間を乖離させることを特徴としている。
クリック有無切替体を回動するだけで、回転体を回転した際のクリック感触の有無を容易に変更することができる。
【０００８】
また本発明は、前記クリック弾接部と前記クリック係合部が、互いに前記回転軸に交差する平面で弾接することを特徴としている。
【０００９】
また本発明は、前記クリック弾接部が、前記クリック係合部に弾接する弾接部と、前記弾接部に接続して弾接部から離れるに従ってその高さを低くする傾斜部とを有し、前記クリック有無切替体を回動した際に、前記弾接部挿通部に前記傾斜部を接触してクリック弾接部を上下動させて前記クリック弾接部と前記クリック係合部との接触・乖離を行うことを特徴としている。
このようにクリック弾接部を構成することで、クリック有無切替体を回動した際に、容易に、クリック弾接部の弾接部をクリック係合部から乖離させたり弾接させたりすることができる。
【００１０】
また本発明は、前記クリック有無切替体の弾接部挿通部が、前記クリック弾接部の弾接部と傾斜部を挿通する開口部によって構成され、前記クリック弾接部と前記クリック係合部との接触・乖離は、前記クリック有無切替体を回転させ、このクリック有無切替体の開口部の外周辺部分が前記クリック弾接部の傾斜部に接触してクリック弾接部を上下動させることによって行うことを特徴としている。
このようにクリック有無切替体の弾接部挿通部を構成することによって、クリック弾接部をスムーズに上下動させることができる。
【発明の効果】
【００１１】
本発明によれば、クリック有無切替体を回転方向に操作するだけで、回転体を回転する際のクリック感触の有無を、容易に変更することができる。
【図面の簡単な説明】
【００１２】
【図１】クリック機構付き回転式電子部品１の斜視図である。
【図２】クリック機構付き回転式電子部品１の概略断面図である。
【図３】回転つまみ３００と押釦つまみ２８０と第１回転部材２５０とを分離して示すクリック機構付き回転式電子部品１の分解斜視図である。
【図４】回転つまみ３００と押釦つまみ２８０と第１回転部材２５０とを下側から見た斜視図である。
【図５】回転つまみ３００と押釦つまみ２８０と第１回転部材２５０とを除くクリック機構付き回転式電子部品１の分解斜視図である。
【図６】回転つまみ３００と押釦つまみ２８０と第１回転部材２５０とを除くクリック機構付き回転式電子部品１を下側から見た分解斜視図である。
【図７】クリック有無切替レバー２２０を回動したときの状態を示す斜視図である。
【図８】クリック有無切替レバー２２０を回動したときの状態を示すクリック機構付き回転式電子部品１の概略断面図である。
【図９】クリック有りのときのクリック有無切替レバー２２０とクリック弾接体１７０の位置関係を示す要部概略展開断面図である。
【図１０】クリック無しのときのクリック有無切替レバー２２０とクリック弾接体１７０の位置関係を示す要部概略展開断面図である。
【発明を実施するための形態】
【００１３】
以下、本発明の実施形態を図面を参照して詳細に説明する。図１は本発明の１実施形態に係るクリック機構付き回転式電子部品（以下「回転式スイッチ」というが、「押圧式スイッチ付き回転式スイッチ」でもある）１の斜視図、図２は回転式スイッチ１の概略断面図（図１のＡ−Ａ断面図）、図３は回転式スイッチ１の内、回転体（以下「回転つまみ」という）３００と、押釦つまみ２８０と回転体（以下「第１回転部材」という）２５０とを分離して示す分解斜視図、図４は回転つまみ３００と押釦つまみ２８０と第１回転部材２５０とを下側から見た斜視図、図５は回転つまみ３００と押釦つまみ２８０と第１回転部材２５０以外の部品の分解斜視図、図６は回転つまみ３００と押釦つまみ２８０と第１回転部材２５０以外の部品を下側から見た分解斜視図である。これらの図に示すように、回転式スイッチ１は、取付板１０上に、回路基板（以下「第１フレキシブル回路基板」という）２０と、支持台４０と、回路基板（以下「第２フレキシブル回路基板」という）５０と、摺動子６０と、回転体（以下「第２回転部材」という）７０と、補強板９０と、レバー取付部材１００と、弾接部材（以下「弾接バネ」という）１２０と、ケース１３０と、弾発部材１６０と、クリック弾接体１７０と、クリック用ボール２００と、クリック用コイルバネ２１０と、クリック有無切替体（以下「クリック有無切替レバー」という）２２０と、第１回転部材２５０と、押釦つまみ２８０と、回転つまみ３００とを設置して構成されている。なお以下の説明において、「上」とはクリック弾接体１７０からクリック有無切替レバー２２０を見る方向をいい、「下」とはその反対方向をいうものとする。また、真上、真下方向は、回転体（回転つまみ３００及び第１回転部材２５０及び第２回転部材７０）の回転軸Ｌ１方向と一致するものとする。
【００１４】
取付板１０は硬質板（この実施形態ではステンレス板であるが、他の金属板又は樹脂板等であっても良い）の所定位置（４隅の４か所）に貫通する小孔からなる取付部１１を設けて構成されている。
【００１５】
第１フレキシブル回路基板２０は、可撓性を有する合成樹脂フィルムを２枚重ね合わせ、対向する中央位置に所定の隙間を介して図示しないスイッチ接点パターンを形成していわゆるメンブレンスイッチ（以下「押圧スイッチ」という）２１を形成し、この押圧スイッチ２１の上側のフィルム上に反転板２３を取り付けて構成されている。第１フレキシブル回路基板２０の所定位置（４隅の４か所、前記取付板１０の各取付部１１に対向する位置）には貫通する小孔からなる取付部２５が形成されている。
【００１６】
支持台４０は合成樹脂の成形品であり、中央に下記する押釦つまみ２８０の軸部２８３を挿通する円形の挿通孔４１を設け、またその所定位置（４隅の４か所、前記取付板１０の各取付部１１に対向する位置）に貫通する小孔からなる取付部４３を形成して構成されている。支持台４０の下面中央には、前記反転板２３を収納する凹部４５が形成されている。
【００１７】
第２フレキシブル回路基板５０は可撓性を有する合成樹脂フィルムの中央に下記する押釦つまみ２８０の軸部２８３を挿通する円形の挿通孔５１を設け、またその上面の挿通孔５１の周囲にリング状に摺接パターン５３を形成し、さらにその所定位置（４隅の４か所、前記取付板１０の各取付部１１に対向する位置）に貫通する小孔からなる取付部５５を形成して構成されている。摺接パターン５３は、下記する摺動子６０と共に、出力信号を変化させる検出手段を構成し、この例ではスイッチパターンとなっている。
【００１８】
摺動子６０は弾性金属板をリング状に形成して構成されており、中央に円形の貫通孔からなる開口部６１を設け、また等間隔に設けた３つの基部６３からそれぞれ円弧状に３組の摺動冊子６５を突出して構成されている。各摺動冊子６５の先端には弾接部６７が設けられている。また各基部６３にはそれぞれ小孔からなる固定部６９が設けられている。
【００１９】
第２回転部材７０は合成樹脂を略円板状に成形して構成されており、その中央に上下に貫通する挿通部７１を設け、また挿通部７１の周囲の同一円弧上に３つの上下に貫通する取付孔７３を設け、一方第２回転体７０の下面の前記摺動子６０の各固定部６９に対向する位置にこれら固定部６９に挿入される小突起状の摺動子取付部７５を設けて構成されている。
【００２０】
補強板９０は硬質板（この実施形態ではステンレス板であるが、他の金属板または樹脂板等であっても良い）を略円板状に形成して構成されており、中央に下記する押釦つまみ２８０の軸部２８３を挿通する円形の挿通孔９１を設け、また挿通孔９１の周囲の同一円弧上に３つの上下に貫通する取付孔９３を設けて構成されている。
【００２１】
レバー取付部材１００は合成樹脂をリング状に成形して構成されており、その所定位置（３か所）には、上下に貫通する小孔からなる取付孔１０１が形成されている。一部に下方向にコ字状に屈曲することで上面側に凹部１０３が形成されている。この凹部１０３は、下記するクリック用ボール２００とクリック用コイルバネ２１０を収納するためにケース１３０に設けられた収納部１４１によってケース１３０の下面側に突出している部分を避けるためのものである。
【００２２】
弾接バネ１２０は弾性金属板をリング状に形成し、１８０°対向する位置に一対の取付用基部１２１を設けて各取付用基部１２１内に小孔からなる挿入固定部１２３を設け、基部１２１と基部１２１の間を結ぶ一対のアーム部１２５の中央に弾接部１２７を設け、また各アーム部１２５のそれぞれ根元部分を下方向に屈曲して構成されている。
【００２３】
ケース１３０は合成樹脂の成形品であって、筒状に形成された側壁部１３１と、側壁部１３１の中央の孔を塞ぐ略平板状の中央部１３３とを具備して構成されている。中央部１３３の中央には下記する第１回転部材２５０の回転部材軸部２５３を回動自在に挿通する軸支孔１３５が設けられている。軸支孔１３５の周囲は中央部１３３から上方向に向かって筒状に突出するガイド突部１３７となっている。ガイド突部１３７の外周の１８０°対向する位置には、上下方向に直線状に延びる一対のガイド凸条１３８が形成されている。中央部１３３の前記ガイド突部１３７の周囲の面上には、同一円周上に、複数（３つ）の円弧状の貫通孔からなる挿通部１３９が形成されている。側壁部１３１の内周側には、クリック用ボール２００とクリック用コイルバネ２１０を収納する有底の穴からなる四角筒状の収納部１４１が形成されている。収納部１４１の外周壁の外側面の内、左右の対向する面は、当接面１４２となっている。側壁部１３１の外周面からは略台形状で平板状のレバー載置部１４３が突出している。側壁部１３１の下端辺からは複数（４つ）の小突起からなるケース固定部１４５が突出している。中央部１３３の下面の軸支孔１３５の周囲の１８０°対向する位置からは小突起状の弾接バネ固定部１４７が一対突出している。
【００２４】
弾発部材１６０はこの例ではコイルバネによって構成されている。またクリック用ボール２００は金属製の球体によって構成されている。
【００２５】
クリック弾接体１７０は合成樹脂の成形品であり、略リング状で略平板状の弾接体本体部１７１と、弾接体本体部１７１の下面から下方向に突出する円筒状の筒部１７３とを具備して構成されている。弾接体本体部１７１と筒部１７３の中央には、１つの円形の貫通孔からなるガイド孔１７５が形成されている。ガイド孔１７５には前記ケース１３０のガイド突部１３７が上下動自在に挿入される。ガイド孔１７５の内周面の１８０°対向する位置には、上下方向に向かう直線状の溝からなるガイド溝１７７が形成されている。ガイド溝１７７には、前記ケース１３０のガイド凸条１３８が上下動自在に挿入される。
【００２６】
弾接体本体部１７１の上面の１８０°対向する位置には、上方向に向かって突出する一対のクリック弾接部１８０が形成されている。また弾接体本体部１７１の上面の１８０°対向する位置であり且つ前記一対のクリック弾接部１８０の間の位置には、上方向に向かって突出する一対の上下動補助部１９０が形成されている。クリック弾接部１８０と上下動補助部１９０は、同一円周上に形成されている。クリック弾接部１８０は板状に突出しており、その上辺の、略三角形状に最も突出している弾接部１８１と、弾接部１８１に連結されていて水平（弾接体本体部１７１の表面に平行）な支持部１８３と、支持部１８３に連結されていて弾接部１８１から離れるに従ってその高さを低くする傾斜部１８５とを具備している。つまり弾接部１８１と傾斜部１８５は、支持部１８３によって接続されている。一方、上下動補助部１９０は板状に突出しており、その上辺の、水平（弾接体本体部１７１の表面に平行）な支持部１９１と、支持部１９１に連結されていて支持部１９１から離れるに従ってその高さを低くする傾斜部１９３とを具備している。傾斜部１８５と傾斜部１９３は、同一の寸法形状である。また支持部１８３と支持部１９１は同一の高さ寸法である。
【００２７】
クリック有無切替レバー２２０は合成樹脂を略円板状に成形して構成されており、略円板状のレバー本体部２２１の下面から略筒状のレバー側壁部２３５を突出して構成されている。レバー本体部２２１の中央部分は、その上面を円形に突出させた突出部２２３とすることで、その下面側に円形の凹部からなるクリック弾接体収納部２２５が形成されている。突出部２２３の中央には円形に貫通する挿通孔２２７が形成されている。また挿通孔２２７の周囲には円弧状に貫通する複数（４つ）の開口部が形成され、１８０°対向する一対の開口部は弾接部挿通部（以下「開口部」という）２２９、１８０°対向するもう一対の開口部は補助部挿通部（以下「開口部」という）２３０となっている。開口部２２９は前記クリック弾接体１７０のクリック弾接部１８０全体を挿入できる寸法に形成され、開口部２３０は前記クリック弾接体１７０の上下動補助部１９０全体を挿入できる寸法に形成されている。レバー本体部２２１の外周の所定位置からは、略台形状のレバー２３１が突出している。レバー本体部２２１の下面のレバー２３１を突出した根元部分（レバー側壁部２３５を設けていない部分）には円周方向に向かって凹凸となっているクリック当接部２３３が形成されている。クリック当接部２３３は、円周方向に２つの凹部を有している。レバー側壁部２３５の下端辺の所定位置からは、複数本（３本）の小突起からなる取付部２３７が突出している。これら取付部２３７は、前記レバー取付部材１００の各取付孔１０１に挿入される位置に設けられている。レバー側壁部２３５の円周方向両端部分には、前記ケース１３０の一対の当接面１４２に当接するストッパー用の被当接面２３９が形成されている。
【００２８】
第１回転部材２５０は合成樹脂の成形品であって、略円板状の回転部材本体部２５１の下面中央から円筒状の回転部材軸部２５３を突出して構成されている。第１回転部材２５０の中央にはこれを上下に貫通して下記する押釦つまみ２８０の軸部２８３を上下動自在に挿入（貫通）ガイドする挿通部２５５が設けられている。挿通部２５５の内周面には、上下方向に直線状に延びる回り止め用ガイド溝２５７が形成されている。回転部材本体部２５１下面の前記回転部材軸部２５３の周囲には、これを囲むように、凹凸からなるクリック係合部２５９が形成されている。回転部材本体部２５１の外周部分には、下記する回転つまみ３００の各係合部３０５を係合する凹状の被係合部２６１が複数箇所に形成されている。回転部材軸部２５３の下端辺からは複数（３つ）の取付係合部２６３が突出している。各取付係合部２６３は前記第２回転部材７０の各取付孔７３に挿入されてその先端が第２回転部材７０の下面から突出する寸法形状に形成されている。
【００２９】
押釦つまみ２８０は合成樹脂の成形品であって、略円板状のつまみ部２８１の下面中央から棒状の軸部２８３を突出して構成されている。軸部２８３の先端は前記押圧スイッチ２１を押圧する押圧部２８５となっている。つまみ部２８１の外周からはリング状のつば部２８７が突出している。軸部２８３のつまみ部２８１側の位置には、上下方向に直線状に延びる複数（４つ）の回り止め用ガイド突起２８９が形成されている。各回り止め用ガイド突起２８９は、前記第１回転部材２５０の各回り止め用ガイド溝２５７に上下動自在に挿入される寸法形状となっている。
【００３０】
回転つまみ３００は合成樹脂の成形品であり、略円板状の上面部３０１と、略円筒状の側壁部３０３とを有している。上面部３０１中央には円形の開口３０４が形成され、また上面部３０１の下面（側壁部３０３の内周面）には突起状の複数の係合部３０５がリング状に配置されるように形成されている。
【００３１】
回転式スイッチ１を組み立てるには、まず予め、ケース１３０の中央部１３３の下面に弾接バネ１２０を載置し、その際、ケース１３０の各弾接バネ固定部１４７を弾接バネ１２０の各挿入固定部１２３に挿入し、各弾接バネ固定部１４７の先端を熱カシメする。このとき、弾接バネ１２０の各弾接部１２７にグリスを塗布しておく。
【００３２】
次に、回転つまみ３００の下方から押釦つまみ２８０と第１回転部材２５０をこの順番に挿入する。押釦つまみ２８０を挿入したとき、回転つまみ３００の開口３０４内に、押釦つまみ２８０のつまみ部２８１が挿入されてその上面が露出するが、つば部２８７は回転つまみ３００の上面部３０１の下面の開口３０４の周囲に当接する。また第１回転部材２５０を挿入したとき、押釦つまみ２８０の軸部２８３は第１回転部材２５０の挿通部２５５内に挿通され、その際、軸部２８３の回り止め用ガイド突起２８９が挿通部２５５の回り止め用ガイド溝２５７に上下動自在に嵌合される。またこのとき、回転つまみ３００の各係合部３０５が第１回転部材２５０の各被係合部２６１に挿入・係合される。そして第１回転部材２５０の回転部材本体部２５１の下面に突出した各係合部３０５の下端部分（先端部分）を熱カシメし、上記３つの部材を一体化する。これによって、回転つまみ３００と押釦つまみ２８０と第１回転部材２５０は回転軸Ｌ１（図２参照）を中心として一体に回転すると同時に、押釦つまみ２８０は回転つまみ３００の上面部３０１と第１回転部材２５０の回転部材本体部２５１の間で上下動自在となる。
【００３３】
一方、ケース１３０の中央部１３３の上面に弾発部材１６０を載置し、その際、弾発部材１６０の中央にケース１３０のガイド突部１３７を挿入する。次に、ケース１３０の上にクリック弾接体１７０を載置する。次に、ケース１３０の収納部１４１内に、クリック用コイルバネ２１０とクリック用ボール２００を収納した状態で、その上にクリック有無切替レバー２２０を被せ、一方ケース１３０の中央部１３３の下面側にレバー取付部材１００を設置し、その際クリック有無切替レバー２２０の各取付部２３７をレバー取付部材１００の各取付孔１０１に挿入し、各取付部２３７の先端をレバー取付部材１００の下面において熱カシメして、上記各部材を一体化する。このとき、ケース１３０のガイド突起１３７は、クリック弾接体１７０のガイド孔１７５と、クリック有無切替レバー２２０の挿通孔２２７に挿通され、またクリック弾接体１７０は弾発部材１６０によって上方向に弾発されることで押し上げられ、各クリック弾接部１８０がクリック有無切替レバー２２０の各開口部２２９内に挿入される。またクリック用ボール２００はクリック用コイルバネ２１０によって上方向に弾発され、クリック有無切替レバー２２０のクリック弾接部２３３に弾接する。
【００３４】
次に、前記一体化した回転つまみ３００と押釦つまみ２８０と第１回転部材２５０とを、前記クリック有無切替レバー２２０の上面側に載置し、その際、第１回転部材２５０の回転部材軸部２５３をケース１３０の軸支孔１３５内に回動自在に挿入する。
【００３５】
次に、前記ケース１３０の下面側に、補強板９０と第２回転部材７０を設置し、その際、押釦つまみ２８０の軸部２８３の先端を、補強板９０の挿通孔９１と第２回転部材７０の挿通部７１に挿通し、同時に第１回転部材２５０の各取付係合部２６３を補強板９０の各取付孔９３と第２回転部材７０の各取付孔７３に挿通し、第２回転部材７０の下面に突出する各取付係合部２６３の先端部分を熱カシメする。このとき弾接バネ１２０の各弾接部１２７は補強板９０の上面に弾接する。
【００３６】
次に、第２回転部材７０の下面に摺動子６０を載置し、その際、第２回転部材７０の各摺動子取付部７５を摺動子６０の各固定部６９に挿入し、各摺動子取付部７５の先端を熱カシメする。次に、ケース１３０の下側に、第２フレキシブル回路基板５０と支持台４０と第１フレキシブル回路基板２０と取付板１０を重ねて設置し、その際、第２フレキシブル回路基板５０の各取付部５５と支持台４０の各取付部４３と第１フレキシブル回路基板２０の各取付部２５と取付板１０の各取付部１１に、ケース１３０の各ケース固定部１４５を挿入し、各ケース固定部１４５の先端を取付板１０の下面で熱カシメする。このとき、摺動子６０の各弾接部６７は、第２フレキシブル回路基板５０の摺接パターン５３に弾接する。またこのとき、押釦つまみ２８０の押圧部２８５は、反転板２３（即ち押圧スイッチ２１）の上面に当接している。これによって、回転式スイッチ１の組み立てが完了する。なお上記組立手順はその一例であり、他の各種異なる組立手順を用いて組み立てても良いことはいうまでもない。
【００３７】
次に、上記回転式スイッチ１の操作方法（動作）について説明する。ここでは、まず図１に示すように、クリック有無切替レバー２２０のレバー２３１が、ケース１３０のレバー載置部１４３上に位置しているとする。このとき、図３に示すように、クリック有無切替レバー２２０の各開口部２２９内にクリック弾接体１７０のクリック弾接部１８０全体が収納され、同時に、各開口部２３０内に上下動補助部１９０全体が収納されている。図９はこのときの開口部２２９、開口部２３０、クリック弾接部１８０、上下動補助部１９０、クリック係合部２５９の位置関係を示す概略展開断面図である。同図に示すように、開口部２２９内にクリック弾接部１８０全体が収納されているときは、クリック弾接部１８０の弾接部１８１はクリック有無切替レバー２２０のレバー本体部２２１の上面から上方向に向かって突出している。従って、弾発部材１６０によって押し上げられているクリック弾接部１８０の弾接部１８１は、第１回転部材２５０の下面に形成されたクリック係合部２５９に接触して係合する位置にある。
【００３８】
そしてこの状態で、回転つまみ３００を回転すると、回転つまみ３００と一体に押釦つまみ２８０と第１回転部材２５０と第２回転部材７０と摺動子６０が、回転軸Ｌ１を中心にして回転し、摺動子６０の弾接部６７が第２フレキシブル回路基板５０の摺接パターン５３上を摺動し、その出力信号が変化する。回転つまみ３００を回転すると、これと一体に第１回転部材２５０の下面に形成したクリック係合部２５９も回転するので、これに弾接しているクリック弾接部１８０の弾接部１８１は、クリック係合部２５９の凹凸上を上下動しながら弾接し、これによって回転つまみ３００の回転にクリック感触を与える。なお、回転つまみ３００を回転した際、弾接バネ１２０の各弾接部１２７が補強板９０上に弾接した状態で摺動するので、回転つまみ３００の回転に所定の回転トルクが生じる。
【００３９】
次に、クリック有無切替レバー２２０のレバー２３１を、図７に示すように、真上から見て左方向に回動すると、クリック有無切替レバー２２０のクリック当接部２３３の一方の凹部に弾接していたクリック用ボール２００が、もう一方の凹部に凸部を乗り越えて係合する際に、クリック感触を生じる。なお、クリック有無切替レバー２２０の回動範囲は、クリック有無切替レバー２２０の一対の被当接面２３９に、ケース１３０の一対の当接面１４２が当接する範囲であり、言い換えれば、クリック用ボール２００がクリック当接部２３３の一方の凹部からもう一方の凹部に弾接する範囲である。
【００４０】
図８はクリック有無切替レバー２２０を図７に示すように回動したときの概略断面図（図７のＢ−Ｂ断面図）である。また図１０はこのときの開口部２２９、開口部２３０、クリック弾接部１８０、上下動補助部１９０、クリック係合部２５９の位置関係を示す概略展開断面図である。クリック有無切替レバー２２０を回動したとき、クリック弾接体１７０に対してクリック有無切替レバー２２０が、図９の矢印Ｃで示す方向に相対的に移動する。これによって、クリック有無切替レバー２２０に設けた開口部２２９の外周辺２２９ａ部分がクリック弾接部１８０の傾斜部１８５に接触し、同時にクリック有無切替レバー２２０に設けた開口部２３０の外周辺２３０ａ部分が上下動補助部１９０の傾斜部１９３に接触し、クリック弾接部１８０（即ちクリック弾接体１７０全体）が真下方向に移動する。これによって、図１０に示すように、クリック弾接部１８０の弾接部１８１が下降してクリック有無切替レバー２２０の開口部２２９内に入り込む。このときクリック有無切替レバー２２０下面には、クリック弾接部１８０の支持部１８３と、上下動補助部１９０の支持部１９１が弾接する。従って、この状態のときは、クリック弾接部１８０の弾接部１８１は、第１回転部材２５０の下面に形成されたクリック係合部２５９から乖離し、接触（弾接）していない。
【００４１】
そしてこの状態で、回転つまみ３００を回転すると、前述のように、摺動子６０の弾接部６７が第２フレキシブル回路基板５０の摺接パターン５３上を摺動し、その出力信号が変化する。回転つまみ３００を回転する際、これと一体に第１回転部材２５０の下面に形成したクリック係合部２５９も回転するが、このクリック係合部２５９にクリック弾接部１８０の弾接部１８１は弾接していないので、回転つまみ３００の回転にクリック感触は生じない。回転つまみ３００の回転の際、前述のように、弾接バネ１２０の弾接部１２７と補強板９０の弾接によって、所定の回転トルクが生じる。
【００４２】
前記クリック有無切替レバー２２０を元の位置に回動して戻せば（図１０に示す矢印Ｄ方向に移動）、開口部２２９の外周辺２２９ａ部分が再びクリック弾接部１８０の傾斜部１８５に接触しながらその上を摺動し、同時に、開口部２３０の外周辺２３０ａ部分が再び上下動補助部１９０の傾斜部１９３に接触しながらその上を摺動し、クリック弾接部１８０（即ちクリック弾接体１７０全体）が真上方向に移動し、これによって、クリック弾接部１８０の弾接部１８１が上昇してクリック有無切替レバー２２０の開口部２２９から上方に突出してゆき、図９に示す状態に戻る。これによって、クリック弾接部１８０の弾接部１８１は、第１回転部材２５０のクリック係合部２５９に弾接し、再びクリック感触を生じる状態になる。
【００４３】
一方、押釦つまみ２８０のつまみ部２８１の上面を下方向に向けて押圧してこれを下降すれば、その押圧部２８５が反転板２３を押圧してこれを反転し、押圧スイッチ２１がオンする。前記押圧を解除すれば、反転板２３の弾性復帰力によって押釦つまみ２８０は元の位置に押し上げられ、押圧スイッチ２１はオフする。
【００４４】
以上説明したように、回転式スイッチ１は、回転軸Ｌ１を中心に回転すると共にクリック係合部２５９を形成した回転体（回転つまみ３００及び第１回転部材２５０及び第２回転部材７０）と、前記回転体と一体に回転することで出力信号を変化させる検出手段（摺動子６０及び摺接パターン５３）と、前記回転体のクリック係合部２５９に前記回転軸方向に向けて弾接することで回転体の回転の際にクリック感触を生じるクリック弾接部１８０を形成したクリック弾接体１７０と、を具備し、クリック係合部２５９とクリック弾接体１７０の間に、回転軸Ｌ１を中心に回動可能であって、回動位置に応じてクリック弾接部１８０の回転軸方向の高さを変更させるクリック有無切替レバー２２０を設置し、クリック有無切替レバー２２０を回動することで、クリック弾接部１８０が回転軸方向に沿って上下動し、クリック係合部２５９とクリック弾接部１８０間を接触・乖離させるように構成されている。これによって、クリック有無切替レバー２２０を回動するだけで、回転体を回転した際のクリック感触の有無を容易に変更することが可能となる。ここで、上記クリック弾接部１８０とクリック係合部２５９は、互いに回転軸Ｌ１に交差する平面で弾接している。
【００４５】
また上記回転式スイッチ１において、前記クリック弾接部１８０は、クリック係合部２５９に弾接する弾接部１８１と、弾接部１８１に接続して弾接部１８１から離れるに従ってその高さを低くする傾斜部１８５とを有し、一方前記クリック有無切替レバー２２０には、このクリック有無切替レバー２２０を回転した際に傾斜部１８５に接触してクリック弾接部１８０を上下動させてクリック弾接部１８０とクリック係合部２５９との接触・乖離を行う開口部（弾接部挿通部）２２９を設けている。このようにクリック弾接部１８０とクリック有無切替レバー２２０を構成することで、クリック有無切替レバー２２０を回動した際に、容易に、クリック弾接部１８０の弾接部１８１をクリック係合部２５９から乖離させたり弾接させたりすることができる。
【００４６】
また上記回転式スイッチ１において、クリック有無切替レバー２２０の開口部２２９は、クリック弾接部１８０の弾接部１８１と傾斜部１８５を挿通するように構成され、クリック弾接部１８０とクリック係合部２５９との接触・乖離は、クリック有無切替レバー２２０を回転させ、このクリック有無切替レバー２２０の開口部２２９の外周辺２２９ａ部分がクリック弾接部１８０の傾斜部１８５に接触・摺動してクリック弾接部１８０を上下動させることによって行なっているので、クリック弾接部１８０をスムーズに上下動させることができる。
【００４７】
なお、上記回転式スイッチ１において、さらに、レバー取付部材１００の下面（第２フレキシブル回路基板５０に対向する側の面）に別途摺動子を取り付けると共に、第２フレキシブル回路基板５０の上面に前記摺動子が摺接する摺接パターン（例えば位置検出用パターン）を設け、これによってレバー取付部材１００と一体に回転するクリック有無切替レバー２２０の位置（回動位置）を検出等できるように構成しても良い。
【００４８】
また上記クリック弾接部１８０は、弾接部１８１と傾斜部１８５の間に支持部１８３を設けたが、支持部１８３を省略して、弾接部１８１と傾斜部１８５を直接接続しても良い。このとき、傾斜部１８５の傾斜角度と、これに接続する弾接部１８１の傾斜面の傾斜角度を同一にしても良い。またこのとき、弾接部１８１の頂点部分を、支持部１８３の代りに用い、クリック有無切替レバー２２０を図７に示すように回動したときに、弾接部１８１の頂点部分がクリック有無切替レバー２２０の下面に弾接するように構成しても良い。また上下動補助部１９０の支持部１９１を省略しても良い。さらに上下動補助部１９０は、設けなくても良い。
【００４９】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態では、回転式スイッチの他に押圧式スイッチも設置したが、押圧式スイッチは省略しても良い。また上記実施形態では、検出手段として回転式のスイッチを設置したが、その代りに回転式の可変抵抗器等、他の各種回転式電子部品用の検出手段としても良い。また上記実施形態では、回転体として、回転つまみと第１回転部材と第２回転部材を設置したが、何れかを省略したり、またはさらに回転部材を追加したりして回転体を構成しても良い。また上記実施形態では、クリック有無切替体として、レバーを有するクリック有無切替レバーを用いたが、本発明はこれに限られず、レバーを省略したり、さらにその他の各種形状としても良い。またクリック弾接体やクリック弾接部や弾接部や傾斜部やクリック係合部や弾接部挿通部等の形状、構造に、種々の変更が可能であることは言うまでもない。
【００５０】
また、上記記載及び各図で示した実施形態は、その目的及び構成等に矛盾がない限り、互いの記載内容を組み合わせることが可能である。また、上記記載及び各図の記載内容は、その一部であっても、それぞれ独立した実施形態になり得るものであり、本発明の実施形態は上記記載及び各図を組み合わせた一つの実施形態に限定されるものではない。
【符号の説明】
【００５１】
１  回転式スイッチ（クリック機構付き回転式電子部品）
５３  摺接パターン（検出手段）
６０  摺動子（検出手段）
７０  第２回転部材（回転体）
１７０  クリック弾接体
１８０  クリック弾接部
１８１  弾接部
１８５  傾斜部
２２０  クリック有無切替レバー（クリック有無切替体）
２２９  開口部（弾接部挿通部）
２２９ａ  外周辺
２５０  第１回転部材（回転体）
２５９  クリック係合部
３００  回転つまみ（回転体）
Ｌ１  回転軸
【図１】
0006643137.tif 000002
【図２】
0006643137.tif 000003
【図３】
0006643137.tif 000004
【図４】
0006643137.tif 000005
【図５】
0006643137.tif 000006
【図６】
0006643137.tif 000007
【図７】
0006643137.tif 000008
【図８】
0006643137.tif 000009
【図９】
0006643137.tif 000010
【図１０】
0006643137.tif 000011